(57)【要約】【課題】焦点調節が容易かつ高精度な撮像装置およびこの撮像装置を備える携帯端末を提供することである。【解決手段】鏡枠３に、光軸方向に移動可能な蓋部材３ｄを取り付け、蓋部材と光学部材との間に光学部材を基板側に押圧する第１押圧部材６を弾装し、基板と光学部材との間に、光学部材を蓋部材側に押圧する第２押圧部材７を弾装し、光学部材が撮像素子と当接した状態において、第１押圧部材の押圧力が第２押圧部材の押圧力よりも大きく、蓋部材が光軸方向前方に所定の距離以上移動すると、第２押圧部材の押圧力が第１押圧部材の押圧力よりも大きくなって、光学部材が光軸方向前方に移動して、鏡枠の内周面から突出する突出部３ｅに当接するように構成した。【選択図】      図２
2004266341.tif 000002
【特許請求の範囲】
【請求項１】
撮像素子が設けられた基板と、
前記撮像素子に入射光を集光する光学部材と、
前記撮像素子及び前記光学部材を覆う外枠部材と、を備え、
前記光学部材が、前記基板或いは前記撮像素子と当接した撮像装置であって、
前記外枠部材は、
前記基板に固設された本体部材と、
前記本体部材の前側先端に、光軸方向に移動可能に取り付けられた蓋部材と、前記光学部材と前記蓋部材の間に、前記本体部材の内周面から突出する突出部と、を備え、
前記蓋部材と前記光学部材との間に弾装され、前記光学部材を前記基板側に押圧する第１押圧部材と、
前記基板と前記光学部材との間に弾装され、前記光学部材を前記蓋部材側に押圧する第２押圧部材と、を備え、
前記光学部材が、前記基板或いは前記撮像素子と当接した状態において、前記第１押圧部材の押圧力が前記第２押圧部材の押圧力よりも大きくされるとともに、前記蓋部材が光軸方向前方に所定の距離以上移動すると、前記第２押圧部材の押圧力が第１押圧部材の押圧力よりも大きくなって、前記光学部材が光軸方向前方に移動して前記突出部に当接するように構成されていることを特徴とする撮像装置。
【請求項２】
請求項１に記載の撮像装置において、
前記蓋部材は、前記本体部材に螺合され、前記蓋部材を回転させることにより前記蓋部材が光軸方向に移動するように構成されていることを特徴とする撮像装置。
【請求項３】
請求項１又は２に記載の撮像装置において、
前記光学部材は、側方に延出して前記第２押圧部材を後面で支持する延出部を備え、
前記本体部材は、内周面から突出して前記第２押圧部材を前面で支持する支持部を備えることを特徴とする撮像装置。
【請求項４】
撮像素子が設けられた基板と、
前記撮像素子に入射光を集光する光学部材と、
前記撮像素子及び前記光学部材を覆う外枠部材と、を備え、
前記光学部材が、前記基板或いは前記撮像素子と当接した撮像装置であって、前記光学部材は、光軸が等しくなるように前後に積層された前光学部材と後光学部材とから構成され、
前記外枠部材は、
前記基板に固設された本体部材と、
前記本体部材の前側先端に、光軸方向に移動可能に取り付けられた蓋部材と、前記前光学部材と前記蓋部材の間に、前記本体部材の内周面から突出する突出部と、を備え、
前記蓋部材と前記前光学部材との間に弾装され、前記前光学部材を前記後光学部材側に押圧する第１押圧部材と、
前記前光学部材と前記後光学部材との間に弾装され、前記前光学部材を前記蓋部材側に押圧する第２押圧部材と、
前記後光学部材を前記基板側に押圧する第３の押圧部材を備え、
前記前光学部材が、前記後光学部材と当接した状態において、前記第１押圧部材の押圧力が前記第２押圧部材の押圧力よりも大きくされるとともに、前記蓋部材が光軸方向前方に所定の距離以上移動すると、前記第２押圧部材の押圧力が第１押圧部材の押圧力よりも大きくなって、前記前光学部材が光軸方向前方に移動して前記突出部に当接するように構成されていることを特徴とする撮像装置。
【請求項５】
請求項１〜４の何れか一項に記載の撮像装置において、
前記蓋部材は、記憶形状合金からなり、
前記蓋部材は、加熱されることにより、変形して光軸方向に移動するように構成されていることを特徴とする撮像装置。
【請求項６】
請求項１〜５の何れか一項に記載の撮像装置をケース内に搭載したことを特徴とする携帯端末。
【請求項７】
請求項６に記載の携帯端末において、
前記撮像装置の前記蓋部材を光軸方向に移動させる制御を行う移動制御手段を備えることを特徴とする携帯端末。
【発明の詳細な説明】
【０００１】
【発明の属する技術分野】
この発明は、携帯電話やパーソナルコンピュータなどに搭載可能な撮像装置、及び当該撮像装置を搭載した携帯端末に関する。
【０００２】
【従来の技術】
近年、小型で高性能の撮像装置を搭載した携帯電話機等の撮像機能付携帯情報端末（以下、携帯端末という。）が多く開発されている。
このような従来の携帯端末には、通常撮像の他、例えば、雑誌や名刺の文字等を撮像するための接写、近接撮影（以下マクロ撮影とする。）が可能に構成されているものがある（例えば、特許文献１参照）。
【０００３】
この特許文献１の携帯端末は、端末本体（電子機器本体）に対して回動可能に撮像装置が取り付けられている。より詳細には、この携帯端末は、端末本体に固設されたプレートと、このプレートに設けられたカム溝と、撮像装置と一体となって回動するレンズの枠体に、カム溝と係合する突設部とを備え、撮像装置を回動させるのに伴って、複数のレンズがカム溝に規制されながら回動することにより、レンズ間距離が調整され、マクロ撮影に適した倍率に調整されるように構成されている。
【０００４】
【特許文献１】
特開２００２−２６２１６４号公報
【０００５】
【発明が解決しようとする課題】
しかしながら、上記特許文献１に記載された携帯端末は、プレートにカム溝を設けたり、レンズの枠体に突設部を設けたりしなければならず、機構が複雑であり、コストや製造上の手間がかかってしまうという問題があった。また、複雑な機構による焦点調節となるので、カムの製造精度が要求されるとともに、レンズの取り付け精度・組立て精度の高さも要求される。また、複数の倍率に調整する際に、複数の部品の移動が伴うことから、繰り返して使用することにより、何れかの部品にガタが発生して、ピント位置がずれてしまうという虞があった。
更に、特許文献１に記載の携帯端末においては、焦点距離の切換をして撮影を行う際に、撮像装置を回動させるために、被写体の方向に合わせて本体を持ち替えなければいけないため、使用者にとって不便であるという問題があった。
【０００６】
そこで、本発明の課題は、コスト及び製造上の手間をかけることが比較的少なく、焦点調節が容易かつ高精度な撮像装置およびこの撮像装置を備える携帯端末を提供することである。
【０００７】
【課題を解決するための手段】
以上の課題を解決するため、請求項１に記載の発明は、
撮像素子が設けられた基板と、
前記撮像素子に入射光を集光する光学部材と、
前記撮像素子及び前記光学部材を覆う外枠部材と、を備え、
前記光学部材が、前記基板或いは前記撮像素子と当接した撮像装置であって、
前記外枠部材は、
前記基板に固設された本体部材と、
前記本体部材の前側先端に、光軸方向に移動可能に取り付けられた蓋部材と、
前記光学部材と前記蓋部材の間に、前記本体部材の内周面から突出する突出部と、を備え、
前記蓋部材と前記光学部材との間に弾装され、前記光学部材を前記基板側に押圧する第１押圧部材と、
前記基板と前記光学部材との間に弾装され、前記光学部材を前記蓋部材側に押圧する第２押圧部材と、を備え、
前記光学部材が、前記基板或いは前記撮像素子と当接した状態において、前記第１押圧部材の押圧力が前記第２押圧部材の押圧力よりも大きくされるとともに、前記蓋部材が光軸方向前方に所定の距離以上移動すると、前記第２押圧部材の押圧力が第１押圧部材の押圧力よりも大きくなって、前記光学部材が光軸方向前方に移動して前記突出部に当接するように構成されていることを特徴とする。
【０００８】
請求項１に記載の発明によれば、外枠部材の本体部材の前側先端光軸方向に移動可能な蓋部材が取り付けられ、光学部材と蓋部材の間に、本体部材の内周面から突出する突出部が設けられ、蓋部材と光学部材との間に光学部材を基板側に押圧する第１押圧部材が弾装され、基板と光学部材との間に光学部材を蓋部材側に押圧する第２押圧部材が弾装されている。そして、光学部材が、基板或いは撮像素子と当接した状態においては、第１押圧部材の押圧力が第２押圧部材の押圧力よりも大きくなるように構成されているとともに、蓋部材が光軸方向前方に所定の距離以上移動すると、第２押圧部材の押圧力が第１押圧部材の押圧力よりも大きくなって、光学部材が光軸方向前方に移動して突出部に当接するように構成されている。したがって、撮像装置は、光学部材が、基板又は撮像素子に当接している場合の焦点距離と、光学部材が突出部に当接している場合の焦点距離との２つの焦点距離による撮像処理が可能となる。また、双方の焦点距離が形成されている際に、第１押圧部材、第２押圧部材により、光学部材は、基板又は撮像素子への当接、或いは突出部への当接によって位置決めされるので、精度の良い光学機能が実現する。また、押圧部材等の簡易な部材の配置や、蓋部材の移動による焦点距離の調節、切換えができるので、製造のコスト、手間をかけることなく、光学機能の多機能化を実現することができる。
【０００９】
請求項２に記載の発明は、請求項１に記載の撮像装置において、
前記蓋部材は、前記本体部材に螺合され、前記蓋部材を回転させることにより前記蓋部材が光軸方向に移動するように構成されていることを特徴とする
【００１０】
請求項２に記載の発明によれば、請求項１に記載の発明と同様の効果が得られることは勿論のこと、特に、蓋部材は、本体部材に螺合され、蓋部材を回転させることにより、蓋部材が光軸方向に移動するように構成されているので、複雑な機構を備えることなく蓋部材の移動が実現することとなって、撮像装置のコスト、手間をかけることなく、光学機能の多機能化を実現することができる。
【００１１】
請求項３に記載の発明は、請求項１又は２に記載の撮像装置において、前記光学部材は、側方に延出して前記第２押圧部材を後面で支持する延出部を備え、
前記本体部材は、内周面から突出して前記第２押圧部材を前面で支持する支持部を備えることを特徴とする。
【００１２】
請求項３に記載の発明によれば、請求項１又は２に記載の発明と同様の効果が得られるのは勿論のこと、特に、第２押圧部材は、光学部材の側方に延出した延出部の後面と、本体部材の内周面から突出した支持部の前面との間で支持されるので、第１押圧部材により光学部材が基板又は撮像素子に当接するように押圧力が加えられている場合においても、基板や撮像素子に第２押圧部材が当接しないため、基板や撮像素子を保護することができる。
【００１３】
請求項４に記載の発明は、
撮像素子が設けられた基板と、
前記撮像素子に入射光を集光する光学部材と、
前記撮像素子及び前記光学部材を覆う外枠部材と、を備え、
前記光学部材が、前記基板或いは前記撮像素子と当接した撮像装置であって、
前記光学部材は、光軸が等しくなるように上下に積層された前光学部材と後光学部材とから構成され、
前記外枠部材は、
前記基板に固設された本体部材と、
前記本体部材の前側先端に、光軸方向に移動可能に取り付けられた蓋部材と、
前記前光学部材と前記蓋部材の間に、前記本体部材の内周面から突出する突出部と、を備え、
前記蓋部材と前記前光学部材との間に弾装され、前記前光学部材を前記後光学部材側に押圧する第１押圧部材と、
前記前光学部材と前記後光学部材との間に弾装され、前記前光学部材を前記蓋部材側に押圧する第２押圧部材と、
前記後光学部材を前記基板側に押圧する第３の押圧部材を備え、
前記前光学部材が、前記後光学部材と当接した状態において、前記第１押圧部材の押圧力が前記第２押圧部材の押圧力よりも大きくされるとともに、前記蓋部材が光軸方向前方に所定の距離以上移動すると、前記第２押圧部材の押圧力が第１押圧部材の押圧力よりも大きくなって、前記前光学部材が光軸方向前方に移動して前記突出部に当接するように構成されていることを特徴とする。
【００１４】
請求項４に記載の発明によれば、光学部材は、光軸が等しくなるように上下に積層された前光学部材と後光学部材とから構成され、外枠部材の本体部材の前側先端に、光軸方向に移動可能な蓋部材が取り付けられ、前光学部材と蓋部材の間に、本体部材の内周面から突出する突出部が設けられ、蓋部材と前光学部材との間に、前光学部材を後光学部材側に押圧する第１押圧部材が弾装され、前光学部材と後光学部材との間に、前光学部材を蓋部材側に押圧する第２押圧部材が弾装され、後光学部材を基板側に押圧する第３の押圧部材が設けられている。
そして、前光学部材が、後光学部材と当接した状態において、第１押圧部材の押圧力が第２押圧部材の押圧力よりも大きくなるとともに、蓋部材が光軸方向前方に所定の距離以上移動すると、第２押圧部材の押圧力が第１押圧部材の押圧力よりも大きくなって、前光学部材が光軸方向前方に移動して突出部に当接するように構成されている。したがって、撮像装置は、前光学部材が後光学部材と当接している場合における焦点距離による撮像と、前光学部材が突出部に当接している場合における焦点距離による撮像との２つの焦点調節が可能となる。また、双方の焦点距離が形成される際において、前光学部材は、第１、第２押圧部材により、後光学部材又は突出部に当接して位置決めされるので、精度の良い光学機能が実現する。更に、前光学部材の移動による焦点調節は、蓋部材の移動、及び押圧部材の配置により実現するので、撮像装置の製造におけるコストと手間とをかけることなく、光学機能の多機能化を実現することができる。
また、光学部材を前光学部材と後光学部材とに分け、前光学部材のみを移動させて焦点調節を行うので、移動する光学部材をより小さくすることができることとなって、押圧部材等の小型化が図れ、より小型化が可能となる。
【００１５】
請求項５に記載の発明は、請求項１〜４の何れか一項に記載の撮像装置において、
前記蓋部材は、記憶形状合金からなり、
前記蓋部材は、加熱されることにより、変形して光軸方向に移動するように構成されていることを特徴とする。
【００１６】
請求項５に記載の発明によれば、請求項１〜４の何れか一項に記載の発明と同様の効果が得られるのは勿論のこと、特に、蓋部材は、記憶形状合金からなり、蓋部材は加熱されることにより、変形して光軸方向に移動するように構成されているので、例えば、蓋部材に通電する等により加熱することで移動させることができることとなって、蓋部材の移動を容易且つ自動的に行い易くなる。
【００１７】
請求項６に記載の発明は、請求項１〜５の何れか一項に記載の撮像装置をケース内に搭載していること特徴とする携帯端末である。
【００１８】
請求項６に記載の発明によれば、請求項１〜５の何れか一項に記載の撮像装置がケース内に搭載されている携帯端末は、その撮像装置に基づき、撮像機能の多機能化を実現することができる。
【００１９】
請求項７に記載の発明は、請求項６に記載の携帯端末において、
前記撮像装置の前記蓋部材を光軸方向に移動させる制御を行う移動制御手段を備えることを特徴とする。
【００２０】
請求項７に記載の発明によれば、請求項６に記載の発明と同様の効果が得られるのは勿論のこと、特に、撮像装置の蓋部材を光軸方向に移動させる制御を行う移動制御手段を備えているので、撮像装置の焦点距離の切換えを自動的に行うことができ、ユーザの使い勝手を向上させることができる。
【００２１】
【発明の実施の形態】
以下、図を参照して本発明の実施の形態を詳細に説明する。
図１は、撮像装置１００の一部省略斜視図である。図２は、通常撮像モードにおける図１のＩＩ−ＩＩ線における撮像装置１００の一部省略断面図であり、図３は、図２のマクロ撮像モードにおける撮像装置１００の一部省略断面図である。尚、本発明に係る撮像装置の光軸方向の前後方向を、図１〜図３においては、図視に対応した上下方向として、以下の説明を行う。
ここで、マクロ撮像モードとは、通常撮像モードよりも被写体までの距離が短い、近接撮影、接写撮影に適した撮像処理を行うためのモードとする。
【００２２】
図１〜図３に示されるように、撮像装置１００は、基板ＰＣと、その基板ＰＣの一方の面上に配設された撮像素子２と、この撮像素子２の撮像領域（後述の光電変換部２ａ）に集光させ被写体像を結像させるための光学部材１と、光学部材１と撮像素子２とを覆い隠す鏡枠３と、鏡枠３に備えられた遮光性を有する遮光板４と、遮光板４に支持されるＩＲカットフィルタ５と、光学部材１の上側に設けられ、光学部材１を下方向（光軸方向の後側）に押圧する第１押圧部材６と、光学部材１の下側に設けられ、光学部材１を上方向（光軸方向の前方向）に押圧する第２押圧部材７と、基板ＰＣに取り付けられ、鏡枠３の基板ＰＣに対する位置決めを行うための位置決め電気部品８等を備えている。
【００２３】
光学部材１は、透明なガラス又はプラスチック材料を素材とし、図２、図３に示すように、基板ＰＣ側（光軸方向の後側）に配置される第１レンズ部材９（後光学部材）と、この第１レンズ部材９の上方（光軸方向の前側）に備えられた第２レンズ部材１０（前光学部材）と、第１レンズ部材９と第２レンズ部材１０との間に設けられ、第１レンズ部材部９に入射する光の量を調節する絞り板１１と、から構成される。尚、第１レンズ部材９と第２レンズ部材１０との光軸は同一となっている。
【００２４】
第１レンズ部材９は、凸レンズ形状のレンズ部９ａと、レンズ部９ａの周囲に管状の下脚部９ｂを備えたものであり、下脚部９ｂの下端部には、通常撮像モードのときに撮像素子２の表面に当接する当接部９ｃ…が設けられている。
【００２５】
また、下脚部９ｂの側部には、鏡枠３と当接する側方に延出した延出部９ｄが形成されている。この延出部９ｄの下面（光軸方向の後面）には、第２押圧部材７が弾接する。また、延出部９ｄの上面（光軸方向の前面）には、鏡枠３の内壁に設けられ、内側に突出した突出部３ｅ（後述）が当接する。
そして、マクロ撮像モードの場合、第２押圧部材７の押圧力により、第１レンズ部材９及びそれに積層されている第２レンズ部材１０を含む光学部材１が、上方に押し上げられるようにして移動するが、突出部３ｅに、延出部９ｄが当接することにより上方向の移動が規制され、マクロ撮像モードにおける光学部材１の位置決めが行われる。
【００２６】
また、第１レンズ部材９の下脚部９ｂの上面には、第１押圧部材６が弾接するように構成されている。そして、通常撮像モードの時に、この第１押圧部材６により、第１レンズ部材９が下方向に押圧されることにより、第１レンズ部材９は、撮像素子２上に当接され、通常撮像モードの光学部材１の位置決めが行われるようになっている。
【００２７】
また、下脚部９ｂの上面には、第２レンズ部材１０と係合する係合部９ｅが設けられている。この係合部９ｅは、下脚部９ｂの上面から、レンズ部９ａを囲むようにリング状に突出して設けられている。
【００２８】
また、この係合部９ｅの内側であって、レンズ部９ａの周囲には、遮光性のある素材からなり、レンズ部９ａのＦナンバーを規定する絞りとしての開口１１ａを有する絞り板１１が接着剤により固定されている。
【００２９】
第２レンズ部材１０は、レンズ部１０ａの周囲に管状の下脚部１０ｂを備えたものであり、この下脚部１０ｂの下方には、第１レンズ部材９の係合部９ｅに係合される被係合部１０ｃが設けられている。この被係合部１０ｃは、下脚部１０ｂの下面から突出したリング形状を有しており、その外周面が第１レンズ部材９の係合部９ｅの内周面と当接し、その下面が絞り板１１に当接している。また、この状態では、下脚部１０ｂの下面が第１レンズ部材９の下脚部９ｂの上面と当接している。そして、第１レンズ部材９の係合部９ｅと被係合部１０ｃとは接着されている。従って、第２の光学部１０は、第１レンズ部材９と連動して上下方向（光軸前後方向）に移動することができるようになっている。
また、第１レンズ部材９の係合部９ｅと第２レンズ部材１０の被係合部１０ｃとが係合することにより、第１レンズ部材９と第２レンズ部材１０との光軸がずれることを防ぐ。
【００３０】
撮像素子２は、イメージセンサであり、例えば、ＣＭＯＳ型イメージセンサ、ＣＣＤ型イメージセンサ等からなる。矩形薄板状の撮像素子２の下面は、基板ＰＣの上面に取り付けられている。撮像素子２の上面中央には、画素が２次元的に配列された、撮像領域としての光電変換部２ａが形成されている。その外側の非撮像領域２ｂに、第１レンズ部材９の当接部９ｃ…が当接するとともに、処理部（図示省略）が形成されている。
そして、処理部の外縁近傍には、複数のパッド（図示省略）が配置されている。結線用端子であるパッドは、ワイヤＷを介して基板ＰＣに接続されている。ワイヤＷは、基板ＰＣ上の所定の回路に接続されている基板ＰＣ上の所定の回路に接続されている。
【００３１】
鏡枠３は、遮光性のある素材からなる筐体であり、光学部材１の外側に配置され、外枠部材として機能する。
鏡枠３には、図１〜図３に示すように、円筒状の上部３ａと、角柱状の下部３ｂとを備える本体部材３ｃと、本体部材３ｃの上部３ａの上端部（光軸方向前端部）に別設されている蓋部材３ｄとを備えている。
そして、本体部材３ｃの下部３ｂの下端部は、基板ＰＣ上に接着剤Ｂにより固着される。
また、本体部材３ｃの上部３ａの内周面には、光学部材１と蓋部材３ｄの間に、内周面から突出する突出部３ｅが設けられており、マクロ撮像モードの場合、この突出部３ｅの下面に、第１レンズ部材９の延出部９ｄが当接する。
【００３２】
また、本体部材３ｃの下部３ｂの内周面から突出して、第２押圧部材７を支持する支持部３ｆが設けられている。この支持部３ｆは、第１レンズ部材９の脚部９ｃに係合しており、この係合により、光学部材１は、第１光学部１０のレンズ部９ａの光軸を中心とした回転が防止されるように、鏡枠３に位置規制される。
【００３３】
このように、光学部材１は鏡枠３に位置規制されているので、基板ＰＣの所定位置に、例えば、後述する位置決め電気部品８に基づき、鏡枠３を位置決めして配置することにより、基板ＰＣの所定位置に光学部材１を配置することができ、例えば、基板ＰＣに備えられた撮像素子２の光電変換部２ａの中心と、鏡枠３に嵌合された第１レンズ部材９のレンズ部９ａの光軸中心とを一致させるように備えることができる。
また、光学部材１は鏡枠３に位置規制されているため、基板ＰＣの所定位置に鏡枠３が配置され、固定された状態においては、光学部材１は所定の位置からずれにくく、例えば、光学部材１のレンズ部９ａの光軸中心と、撮像素子２の光電変換部２ａの中心とが一致した状態を維持しやすい。
【００３４】
鏡枠３の蓋部材３ｄは、上部３ａの上端部に螺合されており、回動することにより、鏡枠３の上部３ａから、上方（光軸方向の前側）に繰り出されるようにして光軸方向に移動可能となっている。
また、蓋部材３ｄは、光学部材１の上面を覆うような形状であるとともに、第２レンズ部１０に入射する光の量を調節するための第１の絞りとしての開口部３ｄｄが設けられている。
尚、蓋部材３ｄの移動は、例えば、撮像装置１００に設けられた図示しないレバー部材、スイッチ部材等を用いた手動操作や、駆動モータ等の駆動手段による自動操作等であるとするが、これらに限定されるものではない。
また、蓋部材３ｄは、形状記憶合金からなり、予め、形状記憶された温度に加熱されることにより、変形して光軸方向に移動する構成であってもよい。
【００３５】
遮光板４は、蓋部材３ｄの上端に、接着剤等により取り付けられている。そして、遮光板４は、その中央に第２の絞りとしての開口４ａを有している。
【００３６】
ＩＲカットフィルタ５は、赤外線吸収特性を有する素材からなり、遮光板４の中央の開口４ａの下方に接着剤等により接合されている。
そして、この遮光板４とＩＲカットフィルタ５とでカバー部材１２を構成する。このように、基板ＰＣと鏡枠３とカバー部材１２とが密着し接合しているので、撮像装置１００は、防塵、防湿の構造を有する。
【００３７】
第１押圧部材６、第２押圧部材７は、例えば、コイルばねなどの弾性部材により構成されている。そして、第１押圧部材６は、第１レンズ部材９と、蓋部材３ｄと、の間に弾装され、第２押圧部材７は、第１レンズ部材９と、鏡枠３の支持部３ｆとの間に弾装されている。
【００３８】
そして、図２に示すように、蓋部材３ｄが、本体部材３ｃの上面より繰り出されていない状態において、第１押圧部材６は、第２押圧部材７よりも弾性力が強くなっている。従って、第１レンズ部材９は、下方に向かって所定の押圧力により押圧され、撮像素子２に当接するように付勢されて位置決めされる。
そして、上記のように第１レンズ部材９が撮像素子２に当接するように位置決めされた状態を、通常撮像モードに設定された状態とする。
【００３９】
一方、図３に示すように、蓋部材３ｄが、回動することにより本体部材３ｃの上部３ａの光軸方向の上方向に繰り出されると、第１押圧部材６の弾性力が弱まり、第２押圧部材７の弾性力が、第１押圧部材６の弾性力よりも大きくなる。すると、第２押圧部材７の押圧力により、第１レンズ部材９が上方向に移動するようになって当接部９ｃは撮像素子２から離間する。そして、鏡枠３の突出部３ｅの下面に、第１レンズ部材９の延出部９ｄが当接することで、それ以上の移動が規制される。
尚、この時、第１レンズ部材９に積層されている第２レンズ部材１０も第１レンズ部材９と連動する。
そして、上記のように光学部材１の第１レンズ部材９が突出部３ｅに当接するように位置決めされた状態を、マクロ撮像モードに設定された状態とする。
そして、このようにマクロ撮像モードの場合、光学部材１と被写体との距離が短くなる、即ち光学部材１の焦点距離が通常撮像モードの場合に比して短くなるので、被写体の接写撮影、近接撮影が可能となる。
【００４０】
尚、通常撮像モードの際、第１押圧部材６の押圧力が第２押圧部材７の押圧力よりも大きいことから光学部材１は、撮像素子２に当接するように図２中下方向に押圧されるが、第２押圧部材７は、本体部材３ｃの支持部３ｆの上面に当接しているとともに、該第２押圧部材７の弾性力により緩衝作用が働くので撮像素子２を傷める虞がない。
【００４１】
位置決め電気部品８は、例えば、コンデンサ、抵抗、ダイオード等であり、図２において、基板ＰＣ上の撮像素子２と鏡枠３との間であって、鏡枠３に近接して配置されている。また、基板ＰＣから位置決め電気部品８の上端部までの高さは、基板ＰＣから撮像素子２の上端部までの高さよりも高くなっている。そして、位置決め電気部品８は、鏡枠３を基板ＰＣ上に固着する際の、鏡枠３の位置決め指標となる。また、位置決め電気部品８の上端が撮像素子２の上端よりも高くなっているので、鏡枠３が、撮像素子２に接触して撮像素子２のワイヤＷ等を傷つけるのを防ぐ。
尚、位置決め電気部品８は、例えば、コンデンサ、抵抗、ダイオード等に限らず、撮像装置１００に必要な電気部品であればよい。
【００４２】
このように、本実施の形態における撮像装置１００において、鏡枠３の本体部材３ｃの上面に光軸方向に移動可能な蓋部材３ｄが取り付けられ、光学部材１と蓋部材３ｄの間に、本体部材３ｃの内周面から突出する突出部３ｅが設けられ、蓋部材３ｄと光学部材１との間に光学部材１を基板ＰＣ側に押圧する第１押圧部材６が弾装され、支持部３ｅと光学部材１との間に光学部材１を蓋部材３ｄ側に押圧する第２押圧部材７が弾装されている。
そして、光学部材１が、撮像素子２と当接した状態においては、第１押圧部材６の押圧力が第２押圧部材７の押圧力よりも大きくなるように構成されているとともに、蓋部材３ｄが光軸方向上方に所定の距離以上移動すると、第２押圧部材７の押圧力が第１押圧部材６の押圧力よりも大きくなって、光学部材１が光軸方向上方に移動して突出部３ｅに当接するように構成されている。したがって、撮像装置１００は、光学部材１が、撮像素子２に当接している場合の焦点距離（通常撮像モード）と、光学部材１が突出部３ｅに当接し、通常撮像モードよりも被写体までの焦点距離が短い焦点距離のマクロ撮像モードとの２つの焦点距離（撮像モード）による撮像処理が可能となる。
【００４３】
また、双方の撮像モードにおいて、第１押圧部材６、第２押圧部材７により、光学部材１は、撮像素子２への当接、又は突出部３ｅへの当接により、位置決めされるので、精度の良い光学機能が実現する。
また、押圧部材等の簡易な部材の配置や、蓋部材３ｄの移動による焦点距離の調節、切換えができるので、製造のコスト、手間をかけることなく、光学機能の多機能化を実現することができる。
【００４４】
また、蓋部材３ｄは、本体部材３ｃに螺合され、蓋部材３ｄを回転させることにより、蓋部材３ｄが光軸方向に移動するように構成されているので、複雑な機構を備えることなく蓋部材３ｄの移動を実現することができる。
【００４５】
尚、本発明の第１の実施の形態の撮像装置１００の各部材の形状、構成等は上記に限定されるものではない。
例えば、光学部材１は、第１レンズ部材９と、第２レンズ部材１０とを備える構成で説明を行ったが、一のレンズ部材のみを備える構成であってもよい。
【００４６】
以下、図４、図５を用いて撮像装置１００の変形例である撮像装置２００について説明する。尚、撮像装置１００と同一部分には同一符号を付し、異なる部分についてのみ説明する。
尚、図４は、通常撮像モードにおける撮像装置２００の一部省略断面図であり、図５はマクロ撮像モードにおける撮像装置２００の一部省略断面図である。
【００４７】
図４、図５に示すように、撮像装置２００における光学部材１の第２レンズ部材１０は、鏡枠３の内周面方向に延出した延出部１０ｅが形成されている。この延出部１０ｅは、マクロ撮像モードにおいて、突出部３ｅと当接し、この当接により、第２レンズ部材１０の位置決めがなされるようになっている。
【００４８】
第２レンズ部材１０の上面と、蓋部材３ｄの下面との間に、第２レンズ部材１０を第１レンズ部材９の方向に押圧する第３押圧部材（請求項４の第１押圧部材に相当）１３が弾装されている。
また、第２レンズ部材１０の延出部１０ｅの下面と、第１レンズ部材９の上面との間に、第２光学部９を上方に押圧する第４押圧部材（請求項４の第２押圧部材に相当）１４が弾装されている。
更に、突出部３ｅの下面と、第１レンズ部材９の上面との間に、第１レンズ部材９を下方向に押圧する第５押圧部材（請求項４の第３押圧部材）１５が弾装されている。この第５押圧部材１５による押圧力は、第３押圧部材１３、第４押圧部材１４の押圧力に影響されることなく、第１レンズ部材９の当接部９ｃを、通常撮像モード、マクロ撮像モードのどちらにおいても、撮像素子２の非撮像領域２ｂに当接させた状態で保持する。
【００４９】
また、図４に示すように、蓋部材３ｄが移動していない状態において、通常撮像モードとして、第３押圧部材１３の押圧力の方が第４押圧部材１４の押圧力よりも大きい構成になっているので、第２レンズ部材１０は、第１レンズ部材９上に当接する。
また、図５に示すように、蓋部材３ｄが、上方に移動していくと、第３押圧部材１３の押圧力よりも第４押圧部材１４の押圧力の方が大きくなり、該第４押圧部材１４の押圧力により、第２レンズ部材１０が第１レンズ部材９から離間して上方に移動し、延出部１０ｅが、突出部３ｅに当接することで、それ以上の移動が規制され、マクロ撮像モードにおける位置決めがなされる。このマクロ撮像モードにおいて、第２レンズ部材１０が被写体方向に移動しているので、通常撮像モードの場合に比べて、被写体までの焦点距離が短くなり、よって、被写体の接写撮影、近接撮影が可能となる。
このように、撮像装置２００によれば、積層された二つの光学部材のうち、一方のみを移動させることにより、焦点調節を行い、２つの撮像モード（焦点距離）における撮像処理が可能となる。
また、第２レンズ部材１０のみを移動させて焦点調節を行うので、第１レンズ部材９と第２レンズ部材１０の双方を移動させる場合に比べて移動させるための押圧力をより小さくすることができるので、第３押圧部材１３、第４押圧部材１５、第５押圧部材１６の小型化、撮像装置２００の小型化が可能となる。
【００５０】
図６は、本発明を適用した携帯端末の一例である、携帯電話機の外観構成を示す図である。図６に示すように、携帯電話機１１０は、第１の筐体１１１ａ及び第２の筐体１１１ｂがヒンジ結合部１１１ｃにより開閉可能に連結されて形成された折り畳み式のものである。
【００５１】
図６（ａ）に示すように、折り畳み時に内側になる面には、後述する入力部１１２及び表示部１１３が配設されている。入力部１１２には、カメラボタン、機能キー等が設けられている。また、図６（ｂ）に示すように、折り畳み時に外側になる面を被写体に向けて撮像可能なように、上述の撮像装置１００が設けられている。図６（ａ）及び（ｂ）に示すように、携帯電話機１１０の上部にはアンテナ１１４ａが配設されている。また、第２の筐体１１１ｂ内の背面側には、充電パック等の電源制御部１１７が設けられている。
【００５２】
図７は、図６の携帯電話機１１０の機能的構成を示すブロック図である。図７に示すように、携帯電話機１１０は、制御部１１１、入力部１１２、表示部１１３、アンテナ１１４ａを有する無線通信部１１４、記憶部１１５、撮像装置１００、電源制御部１１７、送受話部１１８等を備えて構成され、各部はバス１１９により接続されている。
【００５３】
制御部１１１は、ＣＰＵ（Ｃｅｎｔｒａｌ  Ｐｒｏｃｅｓｓｉｎｇ  Ｕｎｉｔ）１１１ａ、書き換え可能な半導体素子で構成されるＲＡＭ（Ｒａｎｄｏｍ  Ａｃｃｅｓｓ  Ｍｅｍｏｒｙ）１１１ｂ、不揮発性の半導体メモリで構成されるＲＯＭ（Ｒｅａｄ  Ｏｎｌｙ  Ｍｅｍｏｒｙ）１１１ｃ等から構成されている。
【００５４】
ＲＯＭ１１１ｃには、図示しない、携帯電話機１１０の基本動作制御プログラム、通信処理プログラム、表示部１１３に表示するための表示用データ、撮像に関するパラメータデータ（自動撮像用のデフォルトの設定データ、プレビュー表示処理用のデフォルトの設定データ）等の他、撮像制御プログラムｃ１、コード認識プログラムｃ２、コード認識用データｃ３が記憶されている。ここで、コード認識用データｃ３は、画像データに情報コードとしての二次元コードが含まれているかを判断するためのコード類似性係数（Ｑ）を設定する際の基準データである。
【００５５】
ＣＰＵ１１１ａは、入力部１１２から入力される各種指示又は無線通信部１１４から入力されるデータに従って、ＲＯＭ１１１ｃに記憶されている各種プログラムの中から指定されたプログラムをＲＡＭ１１１ｂのワークエリアに展開し、この入力指示及び入力データにより上記プログラムに従って各種処理を実行する。そして、ＣＰＵ１１１ａは、その処理結果をＲＡＭ１１１ｂの所定の領域に格納するとともに、表示部１１３に表示させる。
【００５６】
具体的に、ＣＰＵ１１１ａは、ＲＯＭ１１１ｃに記憶される撮像制御プログラムｃ１を読み出して、後述する撮像制御処理を実行する。
撮像制御処理として、ＣＰＵ１１１ａは、入力部１１２から入力されるユーザの操作指示等に従って、撮像装置１００を制御して、撮像させた撮像画像データをＲＡＭ１１１ｂに所定のメモリ等に格納した上で、フレームレート２５ｆｐｓで、表示部１１３にプレビュー表示させる。
また、ＣＰＵ１１１ａは、コード認識プログラムｃ２に従って、撮像画像データに対して二次元コードである可能性のある二次元コード対象を認識するコード処理を実行する。具体的に、ＣＰＵ１１１ａは、５フレーム毎に、撮像画像データと、コード認識用データｃ３とを対照することにより、撮像画像データに二次元コードが含まれているか否かの判断を実行する。より具体的には、ＣＰＵ１１１ａは、撮像画像データと、類似性係数算定用情報としてのコード認識用データｃ３とを対照することにより、二次元コード対象にコード類似性係数を算出し、このコード類似性係数の値に基づいて、二次元コードである可能性のある二次元コード対象（情報コード対象）や二次元コードを認識する。
【００５７】
更に、ＣＰＵ１１１ａは、コード類似性係数が、コードを含んでいる可能性があるが、決定的でない数値であると判断した二次元コード対象がある場合、撮像装置１００を、通常撮像モードからマクロ撮像モードによる撮像処理を行うように切換えるために蓋部材３ｄを移動させる駆動手段（図示なし）を制御する移動制御手段として機能する。
【００５８】
また、ＣＰＵ１１１ａは、撮像画像データ中に二次元コードを認識した場合には、二次元コードのデコード処理するとともに、表示部１１３に表示させる。
また、ＣＰＵ１１１ａは、デコード処理を行った情報コードの情報に基づく動作を実行する。
【００５９】
入力部１１２は、テンキー、各種機能スイッチ、通話モード及びカメラモードの切換えを行うモード切換スイッチ等を備えており、撮像処理の実施指示の入力等に用いられる。
【００６０】
表示部１１３は、ＬＣＤ（Ｌｉｑｕｉｄ  Ｃｒｙｓｔａｌ  Ｄｉｓｐｌａｙ）パネル等により構成され、制御部１１から入力される表示データに基づいて画面表示を行う。また、表示部１１３は、後述する撮像装置１００によってプレビュー撮像された画像や、制御部１１１により復号（デコード）されたコード情報内容等を表示する。
【００６１】
無線通信部１１４は、無線基地局（図示せず）との間で着信や発信等に係る無線信号の送受信を行うアンテナ１１４ａを備え、制御部１１１から入力される指示に従って、無線基地局との間で、例えば、ＩＭＴ−２０００準拠の通信方式（例えば、Ｗ−ＣＤＭＡやｃｄｍａ２０００）に対応する携帯電話用の通信プロトコルを実行し、この通信方式で設定される通信チャネルにより、送受話音声の送受信やデータ通信を実行する。
【００６２】
記憶部１１５は、制御部１１１により実行された処理結果のデータ等を記憶する。例えば、記憶部１１５は、撮像装置１００により撮像された画像のデータ、無線通信部１１４を介して送受信したメールのデータ、通話履歴のデータ等を記憶する。
【００６３】
撮像装置１００は、上述した構成であり、光学部材１を介して入力される画像を撮像素子２で電気信号に変換して、画像データを生成する。また、撮像素子２のＣＣＤ型イメージセンサ等は、周囲の光量を検出する光学センサとしての機能を有し、周囲の光量に応じた検出信号を制御部１１１に出力する。
また、撮像装置１００の蓋部材３ｄは、制御部１１１の制御に基づいて駆動される駆動手段（図示なし）により、光軸方向に移動される。即ち、撮像装置１００は、制御部１１１の制御により、通常撮像モードと、マクロ撮像モードとによる撮像処理が切換え可能に構成されている。
【００６４】
電源制御部１１７は、例えば、リチウム電池、ニッケル電池、ニカド電池等の２次電池により構成され、電源が投入されると、制御部１１１の制御に応じて、プラス側の端子及びマイナス側の端子から、携帯電話機１１０の各部を駆動する駆動回路に所定電圧の電源を供給する。
【００６５】
送受話部１１８は、マイク、スピーカ、Ａ／Ｄ変換部、及びＤ／Ａ変換部（何れも図示せず）を有し、マイクから入力されるユーザの送話音声をＡ／Ｄ変換処理して、その送話音声データをＣＰＵ１１１ａに出力するとともに、ＣＰＵ１１１ａから入力される受話音声データや、着信音、操作確認音、シャッタ音等の音声データをＤ／Ａ変換処理して、スピーカから出力する。
【００６６】
以下、図８のフローチャートを参照して、携帯電話機１１０における撮像制御処理について説明する。
【００６７】
携帯電話機１１０のユーザによって、入力部１１２の所定のボタンが押下されることにより、ＣＰＵ１１１ａは、撮像処理の指示の入力であると判断し、ＲＯＭ１１１ｃに記憶されている撮像制御プログラムｃ１を読み出してＲＡＭ１１１ｂに展開し、該撮像制御プログラムｃ１に従って、撮像処理の制御を開始する。このとき、ユーザは、携帯電話機１１０の撮像装置１００を被写体に向けることにより、被写体を撮像することとする。
【００６８】
そして、ＣＰＵ１１１ａは、具体的には、ＲＡＭ１１１ｂに格納されている画像データのフレームのカウント数を０（Ｎ＝０）にリセットし（ステップＳ１０１）、通常撮像モードによる撮像処理の開始指示を撮像装置１００に出力する。
【００６９】
すると、撮像装置１００は、通常撮像モードにおける撮像処理として、光学部材１により集光され、撮像素子２の光電変換部２ａに結像された被写体の撮像画像データを順次、制御部１１１に出力する（ステップＳ１０２）。
【００７０】
すると、制御部１１１のＣＰＵ１１１ａは、撮像装置１００より順次入力される撮像画像データを、ＲＡＭ１１１ｂに格納するとともに、この撮像画像をフレームレート２５ｆｐｓで表示部１１３に表示させるプレビュー表示処理を実行する（ステップＳ１０３）。また、ＣＰＵ１１１ａは、プレビュー表示処理の実行と平行して、撮像装置１００から入力される画像のフレーム数をカウント（Ｎ＝Ｎ＋１）し（ステップＳ１０４）、フレーム数が「５」であるかを判断する（ステップＳ１０５）。
そして、ＣＰＵ１１１ａは、フレーム数が「５」であると判断した場合（ステップＳ１０５：Ｙｅｓ）には、ステップＳ１０６に移行し、フレーム数が５でないと判断した場合（ステップＳ１０５：Ｎｏ）には、ステップＳ１０２に移行し、以降の工程を繰り返す。
【００７１】
次いで、ステップＳ１０６〜ステップＳ１０８において、ＣＰＵ１１１ａは、ＲＯＭ１１１ｃに記憶されているコード認識プログラムｃ２を読み出してＲＡＭ１１１ｂに展開し、このコード認識プログラムｃ２に従って、コード認識処理の制御を開始する。具体的に、ＣＰＵ１１１ａは、フレーム数が「５」となったときの被写体の撮像画像データと、コード認識用データｃ３とを比較対照することにより、二次元コードの認識処理を実行する。
【００７２】
ここで、認識処理の方法として、例えば、被写体の撮像画像データに二次元コードであることを示す所定の切り出しシンボルを検出することにより認識する方法、或いは、被写体の撮像画像データの濃度により認識する方法、二次元コードの所定のモザイク形状を認識する方法等があるが、これらに限定されるものではない。
【００７３】
より詳細には、ＣＰＵ１１１ａは、ステップＳ１０６において、撮像画像データと類似性係数算定情報としてのコード認識用データｃ３と比較することにより、該撮像画像データの二次元コードである可能性を判断するためのコード類似性係数（Ｑ）を算出する。
【００７４】
次いで、ＣＰＵ１１１ａは、算出されたコード類似性係数（Ｑ）の値が、「０．５」以上であるか否かを判断し（ステップＳ１０７）、Ｑが「０．５」以上であると判断した場合（ステップＳ１０７：Ｙｅｓ）には、所定の二次元コードの可能性があると判断し、ステップＳ１０８に移行する。
一方、ＣＰＵ１１１ａは、算出されたコード類似性係数（Ｑ）が０．５未満であると判断した場合（ステップＳ１０７：Ｎｏ）には、二次元コードである可能性が少ないと判断し、フレームのカウントを「０」にリセット設定（Ｎ＝０）した（ステップ１０９）上で、ステップＳ１０２に移行し、以降の工程であるプレビュー表示処理と５フレーム毎のコード認識処理を繰り返す。
このように、ＣＰＵ１１１ａは、５フレーム毎に、被写体の撮像画像データに対し、二次元コードの認識処理を実行する。従って、ＣＰＵ１１１ａの処理負荷が低減されることとなって、平行して実行する被写体の撮像画像データの取得処理及び該撮像画像データのプレビュー表示処理への影響を軽減することができる。
【００７５】
ステップＳ１０８において、ＣＰＵ１１１ａは、コード類似性係数（Ｑ）が、「１」であるか否かを判断し、「１」であると判断した場合（ステップＳ１０８：Ｙｅｓ）には、二次元コードであると判断してステップＳ１１０に移行する。
【００７６】
一方、ＣＰＵ１１１ａは、コード類似性係数（Ｑ）が、「０．５」以上であるが「１」ではないと判断した場合（ステップＳ１０８：Ｎｏ）には、二次元コードの可能性があるが明確でないものとしての二次元コード対象（情報コード対象）であると認識する。そして、ＣＰＵ１１１ａは、撮像装置１００にマクロ撮影が可能なように、図示しない駆動手段を制御して、蓋部材３ｄを被写体方向に移動させ、このことにより、マクロ撮像モード設定処理を実行し（ステップＳ１１１）、ステップＳ１０９に移行する。
そして以降の工程で、マクロ撮像モードにおける撮像処理として、ＣＰＵ１１１ａの制御により、撮像装置１００の蓋部材３ｄの光軸方向の移動に伴い、光学部材１の第１レンズ部材９が光軸方向前方に移動し、突出部３ｅに当接した状態において、光学部材１と撮像素子２を用いて、マクロ撮像モードにおける被写体の撮像画像データが取得され、表示部１１３にプレビュー表示される。また、ＣＰＵ１１１ａは、このマクロ撮像モードにおける撮像処理、プレビュー表示処理と平行して、マクロ撮像モードによる撮像画像データに対し、５フレーム毎のコード認識処理を実行する。このとき、マクロ撮像モードにおける撮像処理は、通常撮像モードにおける撮像処理に比べて、被写体までの距離が短い場合に適しているので、二次元コードの認識率が向上することとなり、通常撮像モードおいて二次元コードとしての可能性があるが確定ではないものとしての二次元コード対象が二次元コードとして認識される可能性が高くなる。これに伴って、被写体の撮像画像データにおける二次元コードの認識率が向上する。
【００７７】
ステップＳ１１０において、ＣＰＵ１１１ａは、認識された二次元コードのデコード処理を実行し、その二次元コードのコード情報内容を表示部１１３に表示させる（ステップＳ１１２）。
ここで、表示部１１３に表示されるコード情報内容としては、例えば、ＵＲＬアドレス、電子メールアドレス等の文字情報や、任意の画像情報等である。
尚、コード情報内容としての文字情報、画像情報等の表示部１１３に表示可能な内容の他、例えば、コード情報内容が音声情報である場合、送受話部１１８から放音処理を実行する構成であってもよい。
【００７８】
次いで、ＣＰＵ１１１ａは、ユーザによる入力部１１２の操作により、表示部１１３に表示されたコード情報内容に対する所定の処理の指示信号が入力されたか否かを判断し（ステップＳ１１３）、指示信号が入力されたと判断した場合（ステップＳ１１３：Ｙｅｓ）には、該指示に応じた処理を実行（ステップＳ１１４）してステップＳ１１５に移行する。
ここで、コード情報内容に対する所定の処理とは、例えば、コード情報内容がＵＲＬアドレスである場合には、該ＵＲＬアドレスへの接続指示、コード情報内容が電子メールアドレスである場合には、該電子メールアドレス宛の電子メールの作成指示、コード情報内容が、電話番号、電子メールアドレス等である場合にはアドレス帳等への保存処理、その他、表示部１１３の表示画像の保存処理等であるが、これらに限定されるものではない。
【００７９】
一方、ＣＰＵ１１１ａは、ステップＳ１１３において、ユーザからの指示信号の入力がないと判断した場合（ステップＳ１１３：Ｎｏ）、ステップＳ１１５に移行する。
次いで、ＣＰＵ１１１ａは、ユーザの入力部１１２の操作により撮像処理の終了指示が入力されたか否かを判断し（ステップＳ１１５）、入力されたと判断した場合（ステップＳ１１５：Ｙｅｓ）には、撮像装置１００に撮像処理の終了指示を出力することにより、本撮像制御処理を終了する。
一方、ＣＰＵ１１１ａは、撮像処理の終了指示の入力がないと判断した場合（ステップＳ１１５：Ｎｏ）は、ステップＳ１０９に移行し、以降の工程を繰り返す。
【００８０】
このように、上述の撮像制御処理においては、撮像装置１００による被写体の撮像画像データの取得処理、及びその撮像画像データのプレビュー表示処理と平行して、該撮像画像データ中の所定の二次元コードデータの認識処理、及び二次元コードデータのデコード処理が自動的に実行される。従って、ユーザは、例えば、名刺や雑誌等に付けられている二次元コードを認識、解読するために面倒な設定をしなくとも通常の撮像処理の場合と同操作をすることで、自動的に二次元コードの読取、解読を行えることとなるので、大変使い勝手が良い。
【００８１】
また、例えば、通常撮像モードによる撮像画像データのピントがぼけていたり、ノイズが多く含まれていることにより、二次元コードと明確に認識することができないが、その可能性がある場合には、二次元コードの認識に適したマクロ撮像モードによる撮像処理に自動的に切り換わるように撮像装置１００が制御される。従って、ユーザに、撮像モードの設定変更の手間を課すことなく、二次元コードの認識精度を高めることができる。
また、通常撮像モードによる撮像画像データに二次元コードが含まれている可能性が少ない場合や、明確に二次元コードが認識できた場合には、撮像モードが切り換わらないので、効率的である。
【００８２】
尚、本実施の形態における記述内容は、本発明に係る携帯電話機１１０の好適な一例であり、これに限定されるものではない。例えば、撮像装置１００の蓋部材３ｄの移動方法はどのようなものであってもよい。また、本携帯電話機１１０における撮像装置は、上述の撮像装置１００を搭載した例で説明を行ったが、撮像装置１００の変形例である撮像装置２００を搭載する構成であってもよい。
【００８３】
また、上記において、情報コードの一例として二次元コードを用いて説明を行ったが、二次元コードに限定されるものではなく、例えば、バーコード、カラーコード等どのような情報コードであってもよい。
【００８４】
また、上述の撮像制御処理において、二次元コードをデコードすると、そのコード情報内容を表示部１１３に表示させた上で、ユーザによる所定の処理の指示に基づいて、二次元コードの情報内容に応じた各種処理を実行する構成で説明を行ったが、ＣＰＵ１１１ａにより、コード情報内容が解読されると自動的に所定の処理を実行する構成であってもよい。
【００８５】
その他、本実施の形態における携帯電話機１１０の細部構成、及び詳細動作に関しては、本発明の趣旨を逸脱しない範囲で適宜変更可能である。
また、本発明の携帯端末は、携帯電話機１１０に限定されず、パーソナルコンピュータ、ＰＤＡ等であってもよい。
また、本発明の撮像装置は、携帯電話、パーソナルコンピュータ、ＰＤＡ、ＡＶ装置、テレビ、家庭電化製品など、種々のものに組み込むことが可能と考えられる。
【００８６】
【発明の効果】
請求項１に記載の発明によれば、外枠部材の本体部材の前側先端光軸方向に移動可能な蓋部材が取り付けられ、光学部材と蓋部材の間に、本体部材の内周面から突出する突出部が設けられ、蓋部材と光学部材との間に光学部材を基板側に押圧する第１押圧部材が弾装され、基板と光学部材との間に光学部材を蓋部材側に押圧する第２押圧部材が弾装されている。そして、光学部材が、基板或いは撮像素子と当接した状態においては、第１押圧部材の押圧力が第２押圧部材の押圧力よりも大きくなるように構成されているとともに、蓋部材が光軸方向前方に所定の距離以上移動すると、第２押圧部材の押圧力が第１押圧部材の押圧力よりも大きくなって、光学部材が光軸方向前方に移動して突出部に当接するように構成されている。したがって、撮像装置は、光学部材が、基板又は撮像素子に当接している場合の焦点距離と、光学部材が突出部に当接している場合の焦点距離との２つの焦点距離による撮像処理が可能となる。また、双方の焦点距離が形成されている際に、第１押圧部材、第２押圧部材により、光学部材は、基板又は撮像素子への当接、或いは突出部への当接によって位置決めされるので、精度の良い光学機能が実現する。また、押圧部材等の簡易な部材の配置や、蓋部材の移動による焦点距離の調節、切換えができるので、製造のコスト、手間をかけることなく、光学機能の多機能化を実現することができる。
【００８７】
請求項２に記載の発明によれば、請求項１に記載の発明と同様の効果が得られることは勿論のこと、特に、蓋部材は、本体部材に螺合され、蓋部材を回転させることにより、蓋部材が光軸方向に移動するように構成されているので、複雑な機構を備えることなく蓋部材の移動が実現することとなって、撮像装置のコスト、手間をかけることなく、光学機能の多機能化を実現することができる。
【００８８】
請求項３に記載の発明によれば、請求項１又は２に記載の発明と同様の効果が得られるのは勿論のこと、特に、第２押圧部材は、光学部材の側方に延出した延出部の後面と、本体部材の内周面から突出した支持部の前面との間で支持されるので、第１押圧部材により光学部材が基板又は撮像素子に当接するように押圧力が加えられている場合においても、基板や撮像素子に第２押圧部材が当接しないため、基板や撮像素子を保護することができる。
【００８９】
請求項４に記載の発明によれば、光学部材は、光軸が等しくなるように上下に積層された前光学部材と後光学部材とから構成され、外枠部材の本体部材の前側先端に、光軸方向に移動可能な蓋部材が取り付けられ、前光学部材と蓋部材の間に、本体部材の内周面から突出する突出部が設けられ、蓋部材と前光学部材との間に、前光学部材を後光学部材側に押圧する第１押圧部材が弾装され、前光学部材と後光学部材との間に、前光学部材を蓋部材側に押圧する第２押圧部材が弾装され、後光学部材を基板側に押圧する第３の押圧部材が設けられている。
【００９０】
請求項５に記載の発明によれば、請求項１〜４の何れか一項に記載の発明と同様の効果が得られるのは勿論のこと、特に、蓋部材は、記憶形状合金からなり、蓋部材は加熱されることにより、変形して光軸方向に移動するように構成されているので、例えば、蓋部材に通電する等により加熱することで移動させることができることとなって、蓋部材の移動を容易且つ自動的に行い易くなる。
【００９１】
請求項６に記載の発明によれば、請求項１〜５の何れか一項に記載の撮像装置がケース内に搭載されている携帯端末は、その撮像装置に基づき、撮像機能の多機能化を実現することができる。
【００９２】
請求項７に記載の発明によれば、請求項６に記載の発明と同様の効果が得られるのは勿論のこと、特に、撮像装置の蓋部材を光軸方向に移動させる制御を行う移動制御手段を備えているので、撮像装置の焦点距離の切換えを自動的に行うことができ、ユーザの使い勝手を向上させることができる。
【図面の簡単な説明】
【図１】本発明の第１の実施の形態における撮像装置の一部省略斜視図である。
【図２】図１の撮像装置の通常撮像モードにおける、ＩＩ−ＩＩ線における一部省略断面図である。
【図３】図１の撮像装置のマクロ撮像モードにおける、ＩＩ−ＩＩ線における一部省略断面図である。
【図４】図１の撮像装置の変形例の通常撮像モードにおける一部省略断面図である。
【図５】図１の撮像装置の変形例のマクロ撮像モードにおける一部省略断面図である。
【図６】本発明にかかる撮像装置を内蔵した携帯電話機の一例を示す正面図及び背面図である。
【図７】図６の携帯電話機の内部構成を説明するためのブロック図である。
【図８】図６の携帯電話機による撮像制御処理を説明するためのブロック図である。
【符号の説明】
１  光学部材
２  撮像素子
３  鏡枠（外枠部材）
３ｃ  本体部材
３ｄ  蓋部材
３ｅ  突出部
３ｆ  支持部
６  第１押圧部材
７  第２押圧部材
９  第１レンズ部（後光学部材）
９ｄ  延出部
１０  第２レンズ部（前光学部材）
１０ｅ  延出部
１３  第３押圧部材（第１押圧部材）
１４  第４押圧部材（第２押圧部材）
１５  第５押圧部材（第３押圧部材）
１００、２００  撮像装置
１１０  携帯電話機（携帯端末）
１１１  制御部（移動制御手段）
ＰＣ  基板
【図１】
2004266341.tif 000003
【図２】
2004266341.tif 000004
【図３】
2004266341.tif 000005
【図４】
2004266341.tif 000006
【図５】
2004266341.tif 000007
【図６】
2004266341.tif 000008
【図７】
2004266341.tif 000009
【図８】
2004266341.tif 000010